(57)【要約】【課題】配光を行うことが可能な光学デバイスを提供する。【解決手段】光学デバイス１は、光透過性を有する第１電極１３と、光透過性を有する第２電極１４と、電界により屈折率が変化し、透明状態と入射光を配光する状態とが変化可能な屈折率調整層１５と、屈折率調整層１５の表面を凹凸にする凹凸層１６とを備える。第２電極１４は、第１電極１３と電気的に対となる。屈折率調整層１５は、第１電極１３と第２電極１４との間に配置され、液晶を含む。光学デバイス１は、屈折率調整層１５の厚みを形成する構造体１７を備える。構造体１７は、第２電極１４に接着している。【選択図】図１
2018119995.tif 000002
【特許請求の範囲】
【請求項１】
光透過性を有する第１電極と、
前記第１電極と電気的に対となり、光透過性を有する第２電極と、
前記第１電極と前記第２電極との間に配置され、液晶を含み、電界により屈折率が変化し、透明状態と入射光を配光する状態とが変化可能な屈折率調整層と、
前記屈折率調整層の表面を凹凸にする凹凸層と、
前記屈折率調整層の厚みを形成し、前記第２電極に接着している構造体と、を備える、
光学デバイス。
【請求項２】
前記構造体は、前記屈折率調整層に含まれ、接着物質を表面に有するスペーサである、
請求項１に記載の光学デバイス。
【請求項３】
前記凹凸層は、軟質性を有し、
前記スペーサは、前記凹凸層に食い込んでいる、
請求項２に記載の光学デバイス。
【請求項４】
前記構造体は、前記凹凸層に設けられた複数の柱部であり、
前記複数の柱部は、前記屈折率調整層を貫通し、その先端が前記第２電極に接着している、
請求項１に記載の光学デバイス。
【請求項５】
前記第２電極と前記構造体との接着は、光又は熱により発現される、
請求項１乃至４のいずれか１項に記載の光学デバイス。
【発明の詳細な説明】
【技術分野】
【０００１】
本発明は、光学デバイスに関する。より詳細には、本発明は、電気により光学的な状態が変化可能な光学デバイスに関する。
【背景技術】
【０００２】
電気を供給することにより、光学的な状態を変化させる光学デバイスが提案されている。たとえば、特許文献１には、一対の透明電極の間に銀を含有するエレクトロクロミック材料を含む電解質層を挟持し、透明電極の一方にナノオーダ―の凹凸を設けた調光素子が開示されている。特許文献１の調光素子は、電圧の印加により鏡面状態を形成することができる。
【先行技術文献】
【特許文献】
【０００３】
【特許文献１】国際公開ＷＯ２０１２／１１８１８８号
【発明の概要】
【発明が解決しようとする課題】
【０００４】
上記特許文献１の調光素子は、鏡面状態を形成することが可能ではあるものの、所望の方向に光の進行方向を変化させるものではない。
【０００５】
本開示の目的は、配光を行うことが可能な光学デバイスを提供することである。
【課題を解決するための手段】
【０００６】
光学デバイスが開示される。光学デバイスは、光透過性を有する第１電極と、光透過性を有する第２電極と、電界により屈折率が変化し、透明状態と入射光を配光する状態とが変化可能な屈折率調整層と、前記屈折率調整層の表面を凹凸にする凹凸層とを備える。前記第２電極は、前記第１電極と電気的に対となる。前記屈折率調整層は、前記第１電極と前記第２電極との間に配置され、液晶を含む。光学デバイスは、前記屈折率調整層の厚みを形成し、前記第２電極に接着している構造体を備える。
【発明の効果】
【０００７】
本開示の光学デバイスは、屈折率調整層の屈折率の変化により、透明状態と配光状態とを作り出すことができる。特に、屈折率調整層の厚みを形成する構造体が第２電極に接着していることにより、屈折率調整層の厚みのムラが低減される。そのため、光学デバイスは、光学特性に優れる。
【図面の簡単な説明】
【０００８】
【図１】光学デバイスの一例を示す模式的な断面図である。
【図２】光学デバイスの一例を示す模式的な断面図である。
【図３】光学デバイスの一例の要部を示す模式的な断面図である。
【図４】光学デバイスの一例を示す模式的な断面図である。
【図５】光学デバイスの一例を示す模式的な断面図である。
【図６】光学デバイスの一例の要部を示す模式的な断面図である。
【図７】光学デバイスによる光透過の一例を示す説明図である。図７は、図７Ａ及び図７Ｂからなる。図７Ａは、配光状態を示す。図７Ｂは、非配光状態を示す。
【発明を実施するための形態】
【０００９】
図１は、光学デバイスの一例（光学デバイス１）を示している。図１は、光学デバイス１の層構造を模式的に示しており、実際の光学デバイス１の各部の寸法等は、これに限定されない。光学デバイス１は、パネル状に形成され得る。
【００１０】
光学デバイス１は、光透過性を有する第１電極１３と、光透過性を有する第２電極１４と、電界により屈折率が変化し、透明状態と入射光を配光する状態とが変化可能な屈折率調整層１５と、屈折率調整層１５の表面を凹凸にする凹凸層１６とを備える。第２電極１４は、第１電極１３と電気的に対となる。屈折率調整層１５は、第１電極１３と第２電極１４との間に配置される。屈折率調整層１５は、液晶を含む。光学デバイス１は、屈折率調整層１５の厚みを形成する構造体１７を備える。構造体１７は、第２電極１４に接着している。
【００１１】
光学デバイス１は、屈折率調整層１５の屈折率の変化により、透明状態と配光状態とを作り出すことができる。ここで、屈折率調整層１５の厚みを形成する構造体１７が第２電極１４に接着していることにより、屈折率調整層１５の厚みが確実に確保され、層の厚みのムラが低減する。そのため、光学デバイス１の全体にわたってより均一に光を配光することができる。そして、均一な配光が可能になると、透明状態と配光状態との光の変化が大きくなる。このように、光学デバイス１は、透明状態と配光状態とを変化させることができるため、光学特性に優れる。
【００１２】
図１は、光学デバイス１の第１実施形態である。本実施形態では、構造体１７は、屈折率調整層１５に含まれるスペーサ２０である。スペーサ２０は、接着物質を表面に有している。接着物質は、スペーサ２０の外層部分の接着膜２２を構成している。スペーサ２０は、コア粒子２１と、コア粒子２１の周囲に配置される接着膜２２とを備えている。コア粒子２１は、スペーサ２０の本体となる。接着膜２２によって、スペーサ２０は第２電極１４に引っ付いている。スペーサ２０は、接着膜２２によって、凹凸層１６に引っ付いていることが好ましい。その場合、スペーサ２０は、凹凸層１６を介して、第１電極１３と第２電極１４とを接着することができるため、屈折率調整層１５の厚みを確実に確保することができる。本実施形態では、スペーサ２０の接着により、屈折率調整層１５の厚みが確実に確保される。また、接着性を有することによりスペーサ２０が屈折率調整層１５内で移動することがないため、屈折率の調整をスペーサ２０が阻害することがなくなる。
【００１３】
光学デバイス１は、第１基板１１と第２基板１２とをさらに備えている。第１基板１１と第２基板１２とは、第１電極１３、凹凸層１６、屈折率調整層１５及び第２電極１４の積層構造を間に配置してこの積層構造を支持する。また、第１基板１１と第２基板１２とは、この積層構造を保護する。また、第１基板１１と第２基板１２とは、一方が積層構造を形成するための形成基板として機能し、他方が積層構造を被覆するための被覆基板として機能し得る。
【００１４】
図１の光学デバイス１では、一対の基板の間に、第１電極１３、凹凸層１６、屈折率調整層１５及び第２電極１４がこの順で配置されている。これらの層は、厚み方向に並んでいる。第１電極１３、凹凸層１６、屈折率調整層１５及び第２電極１４を合わせた積層構造は、光学調整体と定義される。光学調整体は、光学デバイス１に組み込まれる。
【００１５】
ここで、「厚み方向」とは、特に断りのない限り、光学デバイス１の厚みの方向を意味する。図１では、厚み方向がＤ１で示されている。厚み方向とは、第１基板１１の表面に垂直な方向であってよい。厚み方向は積層を行う方向が含まれる。厚み方向は、第１電極１３から第２電極１４に向かう方向と、第２電極１４から第１電極１３に向かう方向とが含まれる。図１において、光学デバイス１の各層は横方向及び紙面に垂直な方向に広がっていると考えることができる。また、「平面視」とは基板の表面に垂直な方向（厚み方向Ｄ１）に沿って見た場合のことを意味する。
【００１６】
光学デバイス１は、光を透過させることができる。光学デバイス１は、窓となり得る。光学デバイス１は、建物の外壁に取り付けた場合には、外光を屋内に通過させることが可能である。第１基板１１は屋外側に配置され得る。第２基板１２は屋内側に配置され得る。もちろん、第２基板１２が屋外側に配置され、第１基板１１が屋内側に配置されてもよい。また、光学デバイス１は、外壁以外に取り付けられてもよい。たとえば、光学デバイス１は、内壁、パーティションに取り付けられ得る。光学デバイス１は車載用窓として取りつけられてもよい。第１基板１１は、光が入り込む側の基板と定義される。
【００１７】
一対の電極（第１電極１３及び第２電極１４）は、屈折率調整層１５に電界を与えることができるように構成されている。一対の電極のうちの一方が陽極として機能し、他方が陰極として機能する。屈折率調整層１５は、一対の電極によって電圧が印加されることにより、屈折率が変化する。一対の電極は、光学デバイス１を駆動させるための電極として機能する。各電極は層となっている。
【００１８】
第１電極１３及び第２電極１４は、透明な導電層によって構成され得る。透明導電層の材料としては、透明金属酸化物、導電性粒子含有樹脂、金属薄膜などを用いることができる。光透過性を有する電極の材料の好ましいものとして、ＩＴＯ、ＩＺＯなどの透明金属酸化物が例示される。透明金属酸化物によって構成される電極は、光学デバイス１の電極に用いることが好適である。また、電極は、銀ナノワイヤを含有する層や銀薄膜などの金属含有透明層であってもよい。また、電極は、透明金属酸化物の層と金属層とが積層されたものであってもよい。また、電極は、透明導電層に補助配線が設けられたものであってもよい。電極は遮熱効果を有していてもよい。それにより、断熱性が高まり得る。
【００１９】
第１電極１３及び第２電極１４の少なくとも一方は、金属を含んでいてもよい。金属は、電極を低抵抗化させることができる。金属によって、電気が光学デバイス１の面内に均一に流れやすくなり、光学特性の面内分布が向上し得る。ただし、金属の多量の含有は電極の光透過性の低下を招き得るため、電極の光透過性を阻害しない態様で、金属は含有される。たとえば、金属は、金属ナノワイヤ、金属製の補助配線、金属薄膜として、電極に含まれ得る。金属ナノワイヤは、透明導電層中に分散され得る。この場合、電極は、金属ナノワイヤを含む透明導電層で形成される。金属製の補助配線は、透明導電層に接触させて、透明導電層上に設けられ得る。この場合、電極は、透明導電層と補助配線とを含む。金属薄膜は、透明導電層の表面に設けられ得る。この場合、電極は、透明導電層と金属薄膜とを含む。第１電極１３及び第２電極１４の少なくとも一方は平面視において分割されていてもよい。それにより、部分制御が可能となる。第１電極１３及び第２電極１４の両方が平面視において分割される場合には、それらは同じ形状で分割されることが好ましい。
【００２０】
第１電極１３及び第２電極１４は、電源との電気接続が可能なように構成されていてよい。光学デバイス１は、電源に接続するために、電極パッドや、電極パッドを電気的に集約した電気接続部などを有し得る。電気接続部はプラグなどにより構成され得る。これらの電極は、配線を介して電源に接続され得る。電源は、外部電源であってもよいし、内部電源であってもよい。
【００２１】
図１の光学デバイス１においては、各電極は、平面視において凹凸層１６からはみ出した部分を有しており、この部分で電源との接続を行うことが可能である。そのため、光学デバイス１への給電が容易である。
【００２２】
第１基板１１は、第１電極１３の外側に配置されている。第２基板１２は、第２電極１４の外側に配置されている。図１の例では、第１基板１１は、第１電極１３と接触している。第２基板１２は、第２電極１４と接触している。第１基板１１及び第２基板１２は、光透過性を有する。
【００２３】
第１基板１１と第２基板１２とは、端部において接着されていてよい。接着は接着剤によって行われ得る。接着剤は固化することが好ましい。接着剤は、壁部を形成し得る。壁部は、第１基板１１と第２基板１２との間の隙間の厚みを規定し得る。壁部は、屈折率調整層１５の端部を保護し得る。
【００２４】
第１基板１１及び第２基板１２は、同じ基板材料で構成されてもよいし、異なる基板材料で構成されてもよいが、同じ基板材料で構成されることが好ましい。基板材料としては、ガラス基板、樹脂基板が例示される。ガラス基板の材料としては、ソーダガラス、無アルカリガラス、高屈折率ガラスが例示される。樹脂基板の材料としては、ＰＥＴ（ポリエチレンテレフタレート）、ＰＥＮ（ポリエチレンナフタレート）が例示される。ガラス基板は透明性が高いという利点がある。ガラス基板は防湿性が高いという利点がある。一方、樹脂基板は破壊時の飛散が少ないという利点がある。フレキシブル性を有する基板の使用は好ましい態様の一つである。フレキシブル性を有する基板は曲げることが可能である。フレキシブル性を有すると、取り扱い性が高まる。フレキシブル基板は、樹脂基板又は薄膜ガラスにより容易に形成され得る。第１基板１１及び第２基板１２は、同じ厚みであってもよいし、異なる厚みであってもよい。材料点数削減の点からは、これらは、同じ厚みであることが好ましい。フレキシブル性を有する基板は、曲げて使用することがあるため、屈折率調整層１５内を一様に保持することが難しい。そのため、接着性を有するスペーサ２０を使用することにより、屈折率調整層１５をより一様に保持しやすくなる。
【００２５】
第１基板１１と第１電極１３とは可視光領域において屈折率の差が小さいことが好ましい。それにより、これらの界面において光を有効に透過させることができる。たとえば、第１基板１１と第１電極１３との屈折率差は０．２以下であることが好ましく、０．１以下であることがより好ましい。
【００２６】
第２基板１２と第２電極１４とは可視光領域において屈折率の差が小さいことが好ましい。それにより、これらの界面において光を有効に透過させることができる。たとえば、第２基板１２と第２電極１４との屈折率差は０．２以下であることが好ましく、０．１以下であることがより好ましい。
【００２７】
第１基板１１と第２基板１２とは、屈折率は同程度であってよく、たとえば、第１基板１１と第２基板１２との屈折率差は０．１以下であってよい。第１電極１３と第２電極１４とは、屈折率が同程度であり得る。たとえば、第１電極１３と第２電極１４との屈折率差は０．１以下であってよい。第１基板１１及び第２基板１２の屈折率は、たとえば、１．３〜２．０の範囲内であってよいが、これに限定されるものではない。第１電極１３及び第２電極１４の屈折率は、たとえば、１．３〜２．０の範囲内であってよいが、これに限定されるものではない。
【００２８】
図１の例では、凹凸層１６は、第１電極１３と屈折率調整層１５との間に配置されている。凹凸層１６は、第１電極１３に接する。凹凸層１６は、屈折率調整層１５に接する。凹凸層１６は、凹凸面を有する層である。凹凸層１６は膜となっている。膜とは、本開示では、一体的になって面状に広がったものを指す。ただし、膜は適宜の箇所で分断されていてもよい。凹凸層１６は、面状に連続している。凹凸層１６は、膜と呼べる少なくとも所定の領域（たとえば１ｃｍ×１ｃｍの範囲）で分断がない。凹凸層１６は、厚み方向において隣り合う層を分離するように形成されていてよい。図１では、凹凸層１６は第１電極１３と屈折率調整層１５とを分離している。第１電極１３と屈折率調整層１５とは接触していなくてよい。凹凸層１６は、隣接する層（第１電極１３及び／又は屈折率調整層１５）を被覆していてよい。
【００２９】
図１の例では、凹凸層１６は、第１電極１３側の面が平坦な面となっており、屈折率調整層１５側の面が凹凸面となっている。凹凸層１６は、複数の凸部、及び、複数の凹部のいずれか一方を少なくとも有し、それらの凸部及び／又は凹部により凹凸面が形成されている。凹凸面は、平坦な面から複数の凸部が突出した構造を有していてもよいし、平坦な面から複数の凹部が凹んだ構造を有していてもよいし、あるいは、複数の凸部及び複数の凹部が敷き詰められて、平坦な面がなくなった構造を有していてもよい。
【００３０】
図１に示される凹凸層１６において、凸部は、屈折率調整層１５側に突出する。複数の凸部は、規則的に配置されてもよいし、不規則に配置されてもよい。複数の凸部は周期的に配置されてもよい。複数の凸部は等間隔に配置されてもよい。複数の凸部の配置は、ランダムであってもよい。凹部は、第１電極１３側に凹んでいる。複数の凹部は、規則的に配置されてもよいし、不規則に配置されてもよい。複数の凹部は周期的に配置されてもよい。複数の凹部は等間隔に配置されてもよい。複数の凹部の配置は、ランダムであってもよい。光学デバイス１を窓として設置する場合、窓の上部と下部でそれぞれ適切な配光ができるよう、上部と下部で異なる凹凸構造が配置されていてもよい。
【００３１】
凹凸層１６は、特定の方向への配光が強くなるように凹凸が形成されることが好ましい。たとえば、光学デバイス１に入る光が全体に広がるのではなく、特定の斜め方向に光が強く進行するようにする。すると、光学デバイス１を通った光の強さを位置によって変化させることができる。このような設定は、光学デバイス１を窓に利用するときに有利である。配光の制御は、凸部及び／又は凹部の形状や配置によって可能になる。たとえば、複数の凸部及び凹部が、面内において、形状が異なっていたり、存在率の割合が異なっていたりしてもよい。
【００３２】
凹凸層１６の配光は、以下の方法で評価することが可能である。入射光として波長４００ｎｍ〜８００ｎｍの波長の光を、光学デバイス１に対して第１電極１３から第２電極１４に向かう方向に入射させる。透過した光の方向を第２電極１４側から評価する。光学デバイス１を透過した光が入射光の角度とは異なる特定の方向へ強く透過していれば、配光状態とみなされる。光の方向は光学デバイス１に対して垂直な方向であってよい。また、太陽光は垂直方向からだけではなく、斜め方向から入射することもあるので、同様の方法で斜め方向から入射した場合に、透過光が入射光の角度とは異なる特定の方向へ強く透過していれば、配光状態とみなされる。
【００３３】
凹凸層１６の突出寸法（凹み寸法に等しい）は、突出高さと定義される。突出高さは、たとえば、１００ｎｍ〜１００μｍの範囲内であるが、これに限定されるものではない。突出高さは、凹部の底部から凸部の先端までの厚み方向での長さである。凸部と、その凸部に隣接する他の凸部との間の距離は、たとえば、１００ｎｍ〜１００μｍの範囲内であるが、これに限定されるものではない。また、凹部と、その凹部に隣接する他の凹部との間の距離は、たとえば、１００ｎｍ〜１００μｍの範囲内であるが、これに限定されるものではない。凸部と、その凸部に隣接する他の凸部との間の距離は、凹凸のピッチと定義される。凹部を基準とする凹凸のピッチも同様に定義される。マイクロサイズのオーダーの凹凸が設けられると、光の制御が良好になりやすい。凹凸層１６の凹凸は、たとえば、インプリント法によって形成され得る。突出高さよりも凹凸ピッチが小さい方が光の制御が良好になりやすい。ただし、突出高さよりも凹凸ピッチが小さいと、フォトリソグラフィー等の他の凹凸作製工程では作製時間がかかるため、作製が難しい。一方、インプリント法で凹凸を作製する場合には、突出高さよりも凹凸ピッチが小さい凹凸を容易に作製することが可能である。複数の凹凸ピッチの平均は、凹凸の平均周期といえる。
【００３４】
凹凸層１６は、光透過性を有する。凹凸層１６と第１電極１３とは屈折率の差が小さいことが好ましい。それにより、これらの界面において光を有効に透過させることができる。たとえば、凹凸層１６と第１電極１３との屈折率差は０．２以下であることが好ましく、０．１以下であることがより好ましい。凹凸層１６の屈折率は、たとえば、１．３〜２．０の範囲内であってよいが、これに限定されるものではない。
【００３５】
図１の例では、凹凸層１６は、導電性を有することが好ましい。それにより、第１電極１３と第２電極１４との間の電気の流れを良好にすることができる。凹凸層１６は、第１電極１３に用いられる材料によって形成されてもよい。第１電極１３と凹凸層１６とは、材料が同じで一体化していてもよい。ただし、第１電極１３と凹凸層１６とは別体となった方が、凹凸面の形成が容易である。凹凸層１６は、凹凸を形成しやすい材料で形成されることが好ましい。凹凸層１６は、たとえば、樹脂を含む材料で形成され得る。凹凸層１６の樹脂材料として、導電性高分子、導電体含有樹脂が例示される。導電性高分子としては、ＰＥＤＯＴが例示される。導電体としては、Ａｇナノワイヤなどの金属ナノワイヤが例示される。金属ナノワイヤはセルロース、アクリルなどの樹脂と混合されていてもよい。金属ナノワイヤと樹脂の混合材料を使用した場合には、凹凸層１６の屈折率を樹脂により調整可能なため、第１基板１１及び第２基板１２や屈折率調整層１５と屈折率を近づけることが容易となる。そのため、透明性が向上する。なお、電圧の印加が可能であれば、凹凸層１６は絶縁材料で形成されていてもよい。その場合、凹凸層１６は、樹脂や無機層で形成され得る。凹凸層１６が絶縁層であっても、第１電極１３と第２電極１４との間の電圧差を大きくすることで、第１電極１３と第２電極１４との間に電圧を印加することは可能である。凹凸層１６が絶縁層である場合、薄い方がより電力効率が向上する。好ましくは、絶縁材料で形成される凹凸層１６の最も薄い部分は１０μｍ以下である。
【００３６】
屈折率調整層１５は、凹凸面を有する。屈折率調整層１５の凹凸面は、凹凸層１６の凹凸面により形成される。屈折率調整層１５は凹凸層１６に接している。屈折率調整層１５は、凹凸層１６に向かう表面が凹凸である。屈折率調整層１５の凹凸面は、凹凸層１６の凹凸が型となって形成され得る。屈折率調整層１５は、複数の凸部、及び、複数の凹部の少なくとも一方を備える。屈折率調整層１５の凸部は、凹凸層１６の凹部に対応する。屈折率調整層１５の凹部は、凹凸層１６の凸部に対応する。屈折率調整層１５と凹凸層１６との界面は、凹凸界面となっている。
【００３７】
凹凸界面は、配光が行われやすい構造を有していてもよい。たとえば、凹凸界面は、マイクロレンズ構造、フレネルレンズ構造、突起構造、台形構造などで構成され得る。フレネルレンズ構造では、レンズ形状が複数に分割された形状を有し得る。そのため、レンズのように、特定の方向への光を強くすることが容易である。凹凸界面は、のこぎり状の断面形状となるものであってよい。上記の台形構造は、断面台形形状の複数の凸部を有する構造である。台形構造では、断面台形形状の複数の凸部が、それぞれ平行に長く延伸していてよい。凹凸界面の構造は１／４球レンズ構造であってもよい。またこれらの構造の組み合わせであってもよい。
【００３８】
屈折率調整層１５は、液晶を含む。液晶は、電力により屈折率が変化する材料となり得る。液晶としては、たとえば、ネマチック液晶、コレステリック液晶、強誘電性液晶が挙げられる。液晶では、電界の変化によって分子配向が変わり得る。そのため、屈折率の変化が可能になる。
【００３９】
屈折率調整層１５は、高分子を含むことが好ましい。屈折率調整層１５が高分子を含むことにより、もし光学デバイス１が壊れることがあっても、屈折率調整層１５の材料や、基板の材料が飛散することが抑制される。そのため、安全性が高まる。高分子は、屈折率調整層１５の屈折率変化を安定化させる。そのため、配光性が安定化する。
【００４０】
屈折率調整層１５は、高分子により形成されたポリマー構造を有していてもよい。ポリマー構造は、高分子鎖の架橋構造で形成されてもよい。ポリマー構造は、高分子の絡み合いで形成されてもよい。ポリマー構造は、網目状の構造を有し得る。ポリマー構造の間に液晶が配置されることで、屈折率の調整が可能になる。高分子は、屈折率調整層１５に光散乱性を付与し得る。ただし、配光性をよくするためには、高分子は、できるだけ凹凸層１６と接しないことが好ましい。
【００４１】
高分子を含む屈折率調整層１５の材料としては、高分子分散型液晶を用いることが好ましい。高分子分散型液晶では、液晶が高分子によって保持されているため、安定な屈折率調整層１５を形成することができる。高分子分散型液晶は、ＰＤＬＣ（Ｐｏｌｙｍｅｒ  Ｄｉｓｐｅｒｓｅｄ  Ｌｉｑｕｉｄ  Ｃｒｙｓｔａｌ）と呼ばれる。また、高分子を含む屈折率調整層１５の材料として、ポリマーネットワーク型液晶を用いることも好ましい。ポリマーネットワーク型液晶は、ＰＮＬＣ（Ｐｏｌｙｍｅｒ  Ｎｅｔｗｏｒｋ  Ｌｉｑｕｉｄ  Ｃｒｙｓｔａｌ）と呼ばれる。
【００４２】
高分子分散型液晶及びポリマーネットワーク型液晶は、樹脂部と液晶部とから構成されるものであってよい。樹脂部は高分子により形成される。樹脂部は光透過性を有することが好ましい。それにより、屈折率調整層１５を光が透過しやすくなる。樹脂部は、熱硬化性樹脂、紫外線硬化性樹脂などにより形成され得る。液晶部は、電界によって液晶構造が変化する部分である。液晶部は、ネマチック液晶などが用いられる。高分子分散型液晶及びポリマーネットワーク型液晶は、樹脂部の中に液晶部が点状に存在する構造であることが好ましい一態様である。高分子分散型液晶及びポリマーネットワーク型液晶においては、樹脂部が海、液晶部が島を構成する海島構造となっていてよい。高分子分散型液晶及びポリマーネットワーク型液晶は、樹脂部の中において液晶部が網目状に不規則につながる形状であることが好ましい一態様である。もちろん、高分子分散型液晶及びポリマーネットワーク型液晶は、液晶部の中に樹脂部が点状に存在したり、液晶部の中で樹脂部が網目状に不規則につながったりした構造であってもよい。
【００４３】
屈折率調整層１５が高分子を含む場合、屈折率調整層１５の保持性が高まる。屈折率調整層１５は、内部で材料が流動しにくくなる。屈折率調整層１５は、屈折率が調整された状態が高く維持され得る。
【００４４】
屈折率調整層１５は、可視光領域での屈折率が、凹凸層１６の屈折率に近い屈折率と、凹凸層１６の屈折率との屈折率差が大きい屈折率とに調整可能であることが好ましい。それにより、配光状態と透明状態との差を大きくすることができる。屈折率調整層１５は、凹凸層１６に屈折率が近い状態と、凹凸層１６との屈折率差が大きい状態との２つの状態の変化が可能である。屈折率調整層１５の屈折率が凹凸層１６に近い状態では、屈折率調整層１５と凹凸層１６との屈折率差は、０．２以下であることが好ましく、０．１以下であることがより好ましい。屈折率調整層１５と凹凸層１６との屈折率差が大きい状態では、屈折率調整層１５と凹凸層１６との屈折率差は、０．１を超えることが好ましく、０．２以上であることがより好ましい。なお、本開示では、特に断りのない限り、屈折率は厚み方向Ｄ１での屈折率を意味する。
【００４５】
屈折率調整層１５の一の態様では、電圧が印加されることにより、屈折率が凹凸層１６に近づき、電圧が印加されないと、凹凸層１６との屈折率差が大きくなる。屈折率調整層１５と凹凸層１６との屈折率差が小さいと非配光状態（透明状態）となり、屈折率調整層１５と凹凸層１６との屈折率差が大きいと配光状態となり得る。屈折率調整層１５の他の態様では、電圧が印加されることにより、凹凸層１６との屈折率差が大きくなり配光状態となり、電圧が印加されないと、屈折率が凹凸層１６に近づき、非配光状態（透明状態）となる。
【００４６】
屈折率調整層１５の材料として屈折率異方性を有する液晶材料が好ましい。屈折率異方性を有する液晶材料を屈折率調整層１５に使用する場合には、電界を印加し液晶分子を垂直配向させた場合に、外光の偏光による異方性が生じにくくなる。そのため、透明状態のときの透明性が向上する。透明性を向上させるためには、垂直配向したときの液晶の屈折率と凹凸層１６の屈折率を近づけることが好ましい。
【００４７】
屈折率調整層１５の材料として負の誘電率異方性を有する液晶材料が好ましい。それにより電圧を印加した時に配光状態となり、電圧を印加しない時に非配光状態（透明状態）となる。配光状態が短時間で良い場合には、負の誘電率異方性を有する液晶材料を使用する方が、電力効率が向上する。
【００４８】
屈折率調整層１５は、凹凸層１６との屈折率差が大きくなる状態では、凹凸層１６よりも屈折率が小さくなることが好ましい一態様である。それにより、光の進行方向を変化させやすくすることができる。屈折率調整層１５は、凹凸層１６との屈折率差が大きくなる状態では、凹凸層１６よりも屈折率が大きくなることが好ましい一態様である。それにより、光の進行方向を変化させやすくすることができる。屈折率調整層１５の屈折率の変化の態様は、目的とする配光に合わせて設定され得る。
【００４９】
屈折率調整層１５は、交流電源により電力が供給されてもよいし、直流電源により電力が供給されてもよい。屈折率調整層１５は、交流電源により電力が供給されることが好ましい。電界により屈折率が変化する材料では、電圧印加の開始から時間がたつと、電圧印加時の状態が維持できなくなるものが多く存在する。交流電源では、電圧を双方向に交互に印加することができ、電圧の方向を変えることで実質的に継続して電圧を印加することが可能である。交流の波形は矩形波であることが好ましい。それにより、印加する電圧量が一定になりやすくなるため、屈折率が変化した状態を安定化させることがより可能になる。交流はパルスであってよい。交流電源の波形は正弦波であってもよい。正弦波であれば、変調することなく電源から供給される電力をそのまま使用することができる。
【００５０】
屈折率調整層１５は、電圧を印加したときの状態が維持されるものであることが好ましい一態様である。それにより、屈折率を変化させたいときに電圧を印加し、そうでないときには電圧を印加させなくてもよいので、電力効率が高まる。屈折率が維持される性質はヒステリシスと呼ばれる。この性質は記憶性（メモリ性）といってもよい。所定電圧以上の電圧を付加することにより、ヒステリシスは発揮され得る。屈折率の維持される時間は、長いほどよいが、たとえば、１０分以上が好ましく、３０分以上がより好ましく、１時間以上がさらに好ましく、１２時間以上がよりさらに好ましく、２４時間以上がよりもっと好ましい。
【００５１】
本実施形態では、屈折率調整層１５に含まれるスペーサ２０が屈折率調整層１５の厚みを形成している。スペーサ２０は、粒子である。スペーサ２０の数は少なくとも１つであるが、複数であることがより好ましい。図１では、屈折率調整層１５は、複数のスペーサ２０を含んでいる。図１では、模式的に３つのスペーサ２０が描画されているが、実際は、多数のスペーサ２０が配置されてよい。複数のスペーサ２０は、屈折率調整層１５の厚みをより確実に形成できる。凹凸層１６の凹凸のピッチよりも大きいスペーサ２０が用いられてもよい。凹凸層１６の凹凸高さよりも大きいスペーサ２０が用いられてもよい。スペーサ２０は、屈折率調整層１５内で分散されて配置され得る。
【００５２】
スペーサ２０に含まれるコア粒子２１は、スペーサ２０の本体となっており、コア粒子２１が凹凸層１６と第２電極１４との間のスペースを確保する。コア粒子２１は、硬く、変形しにくい。そのため、コア粒子２１によって、前記スペースが容易に確保される。スペーサ２０の表面の接着膜２２は、接着物質を含んでいる。接着物質は、接着性を発現する。コア粒子２１は、接着膜２２に含まれる接着物質によって、凹凸層１６と第２電極１４とに引っ付き、これらの間で固定される。
【００５３】
コア粒子２１は、適宜の材料によって形成され得る。コア粒子２１は、たとえば、無機粒子、有機粒子が挙げられる。無機粒子は、たとえば、シリカ粒子が挙げられる。粒子は、球状であることが好ましい。球状は、完全な球だけでなく、球形と認識できる形状も含む。コア粒子２１は、接着膜２２に被覆されている。
【００５４】
接着膜２２は、適宜の接着材料によって形成され得る。接着材料は、樹脂であってよい。たとえば、光硬化性樹脂、熱硬化性樹脂、熱可塑性樹脂などにより、接着膜２２は形成される。この場合、光又は熱により、接着膜２２の接着性が発現される。接着膜２２は、光学デバイス１を製造するときに、少なくともスペーサ２０と第２電極１４とを接着させるような機能を有すればよく、完成した光学デバイス１においては、接着膜２２は接着性がなくなっていてもよい。
【００５５】
第２電極１４と、構造体１７であるスペーサ２０との接着は、光又は熱により発現されることが好ましい。その場合、光又は熱によって、強い接着性を簡単に得ることができる。このとき、スペーサ２０の接着膜２２は、光又は熱が付与される前には、接着性を有しておらず、他の物質に引っ付かない。そのため、光学デバイス１の製造時に、不適切な部分にスペーサ２０が接着してしまうことを抑制し、確実に屈折率調整層１５の内部で接着性を発現することができる。
【００５６】
スペーサ２０を構成する複数の粒子の粒径は、揃っていることが好ましい。複数の粒子の粒径が揃うことで、屈折率調整層１５の厚みが安定化される。たとえば、複数の粒子の粒子径は、平均粒径の±１０％の範囲内に９５％以上の粒子の粒子径が入っていれば、粒径が揃うとみなされ得る。
【００５７】
図１では、スペーサ２０は、凹凸層１６と第２電極１４とに接している。光学デバイス１の形成では、凹凸層１６と第２電極１４とが近づく方向にこれらが相対的に動かされて、屈折率調整層１５が設けられる。そのときに、スペーサ２０は、スペーサ２０の大きさよりも凹凸層１６と第２電極１４とが近づかないようにすることができる。
【００５８】
接着性を有するスペーサ２０は、液体成分を含む光学デバイス１において、特に有用である。液晶は、液体成分を含み得る。もし、第１電極１３と第２電極１４との間の距離が固定されておらず、屈折率調整層１５の厚みが変化可能になってしまうと、光学デバイス１が鉛直に配置されたときに、液体成分が自重で下方に落ちてしまう可能性がある。さらに、第１基板１１及び第２基板１２の一方又は両方が可撓性を有する場合には、基板間の距離の変動が容易になるため、屈折率調整層１５の厚みが変化しやすくなり、液体成分が下方に落ちやすい。しかしながら、上記の光学デバイス１では、スペーサ２０が屈折率調整層１５内で屈折率調整層１５の両面の層（凹凸層１６及び第２電極１４）に接着されて固定されているため、屈折率調整層１５の厚みが変化しにくく、液体成分が下方に落ちにくくなる。そのため、光学デバイス１の光学特性が向上する。
【００５９】
光学デバイス１は、たとえば、第１電極１３及び凹凸層１６が設けられた第１基板１１と、第２電極１４が設けられた第２基板１２とを対向配置し、これらの間に、流動性を有する屈折率調整層１５の材料の注入することで形成され得る。第１基板１１と第２基板１２とは、外縁に設けられた接着材料で接着されてよい。このとき、屈折率調整層１５の材料は、接着性をまだ発現していない接着物質を表面に有するスペーサ２０を含んでおり、屈折率調整層１５内でスペーサ２０が分散されて配置される。そして、屈折率調整層１５の注入後に、光又は熱を付与することで、スペーサ２０にある接着物質の接着性を発現させる。光及び熱の両方が接着物質に付与されてもよい。ここで、接着物質は、接着の際に一度溶融してもよく、その場合、第２電極１４及び凹凸層１６とスペーサ２０との接着性がさらに向上し得る。接着性の発現により、スペーサ２０は、凹凸層１６と第２電極１４とに引っ付き、屈折率調整層１５内で固定される。
【００６０】
図２は、第１実施形態の光学デバイス１の変形例である。この光学デバイス１では、凹凸層１６は、軟質性を有している。そして、スペーサ２０は、凹凸層１６に食い込んでいる。この場合、スペーサ２０により凹凸層１６の凸部が押しつぶされて、凹凸層１６とスペーサ２０との接触面積（すなわち接着面積）が大きくなる。そのため、凹凸層１６とスペーサ２０との接着性が向上し、屈折率調整層１５の厚みがより確実に確保される。
【００６１】
図２では、凹凸層１６の凸部が押しつぶされて、凹んで変形し、凹凸層１６のスペーサ２０と接触する部分は、スペーサ２０に沿った形状になっている。凹凸層１６は、つぶれ部１６ｘを有する。このため、接着性が向上する。
【００６２】
図３は、第１実施形態の光学デバイス１の変形例である。この光学デバイス１も、凹凸層１６が軟質性を有し、スペーサ２０が凹凸層１６に食い込んだ例を示している。この例では、凹凸層１６は、断面台形状の複数の凸部１６ａを備えている。凸部１６ａの台形は、台形の下底よりも高さが高い尖がった形状をしている。複数の凸部１６ａの間の間隔は、台形の下底よりも小さい。凸部１６ａは、紙面と垂直な方向に伸びる線状となっていてもよい。このとき、複数の凸部１６ａは、平面視したときにストライプ状の模様を構成していてもよい。あるいは、凸部１６ａは、四角錐台や六角錐台などの多角錐台や、円錐台であってもよい。
【００６３】
図３では、凹凸層１６の凸部１６ａは押しつぶされて、左右に倒れて変形している。凹凸層１６は、つぶれ部１６ｘを有する。凹凸層１６のスペーサ２０と接触する部分は、凸部１６ａの側面を含む部分となっている。このため、凹凸層１６とスペーサ２０との接触面積が大きくなり、接着性が向上する。なお、接着物質が一度溶融する場合には、凹凸層１６の表面形状に合った形状で、接着物質が固まるため、接着性がさらに向上する。
【００６４】
図４は、光学デバイス１のさらなる変形例を示している。図１と同じ構成については同じ符号を付し、説明を省略する。
【００６５】
図４の光学デバイス１は、凹凸層１６と第１電極１３との配置が、図１のものとは異なっている。図４の例では、第１基板１１から第２基板１２にむかって、凹凸層１６、第１電極１３、屈折率調整層１５、第２電極１４の順に、これらの層が配置されている。それ以外は、図１の形態と同じであってよい。
【００６６】
図４の例では、凹凸層１６と屈折率調整層１５との間に、第１電極１３が配置されている。凹凸層１６は、第１基板１１と第１電極１３との間に配置されている。第１電極１３は、凹凸面を有する。第１電極１３は、凹凸層１６に追随した形状であり、屈折率調整層１５に向かう面が凹凸面となっている。図４の光学デバイス１においても、凹凸層１６は、膜状であり、屈折率調整層１５の表面を凹凸にしている。ただし、第１電極１３を介して屈折率調整層１５に凹凸を付与している。
【００６７】
凹凸層１６の形状は、図１で説明したものと同様にすることができ、上記の説明が適用され得る。たとえば、凹凸層１６は、複数の凸部、及び、複数の凹部のいずれか一方を少なくとも有し得る。この場合、凸部は第１電極１３側に突出し、凹部は第１基板１１側に凹むことになる。屈折率調整層１５と第１電極１３との界面は、凹凸界面となっている。凹凸界面は、上記で説明した構造と同様の構造を有し得る。図４に示される凹凸層１６は、図１の例で説明した凹凸層１６から、適宜、層の配置に合わせて層の名称を置換することで、好ましい態様が説明される。
【００６８】
図４の例では、凹凸層１６は、導電性を有してもよいし、有さなくてもよい。第１電極１３と屈折率調整層１５とが接するため、凹凸層１６に導電性がなくても、電力の供給が可能である。凹凸層１６が導電性を有する場合、第１電極１３の導電性を補助することができる。凹凸層１６は、凹凸を形成しやすい材料で形成されることが好ましい。凹凸層１６は、たとえば、樹脂を含む材料で形成され得る。
【００６９】
第１電極１３と凹凸層１６との間には、凹凸界面が配置される。第１電極１３は両面が凹凸である。第１電極１３の屈折率調整層１５に向かう面は凹凸面となっている。第１電極１３は、凹凸層１６の表面に積層形成され得る。第１電極１３が、凹凸層１６の上に形成されることにより、第１電極１３の凹凸面が形成される。
【００７０】
屈折率調整層１５は、凹凸面を有する。屈折率調整層１５の凹凸面は、第１電極１３の凹凸面により形成されている。屈折率調整層１５と第１電極１３とは接する。屈折率調整層１５の具体的な態様は、図１で説明したものと同じであってよい。
【００７１】
図４の例では、スペーサ２０は第１電極１３と第２電極１４とに引っ付いている。スペーサ２０は、第１電極１３に接している。スペーサ２０は、第１電極１３と第２電極１４とを接着することができる。本実施形態でも、スペーサ２０の接着により、屈折率調整層１５の厚みが確実に確保される。
【００７２】
図４の例においても、スペーサ２０は凹凸層１６に食い込んでいてもよい。この場合、スペーサ２０は、第１電極１３を介して凹凸層１６に食い込む。第１電極１３及び凹凸層１６の凹凸は押しつぶされ得る。第１電極１３及び凹凸層１６は、凹凸が変形していてよい。また、凹凸層１６に変形がないかほとんどなく、第１電極１３にスペーサ２０が食い込んでいてもよい。この場合、第１電極１３は凹んでいてよい。それにより、スペーサ２０と第１電極１３との接触面積が大きくなり、スペーサ２０がより強く第１電極１３に引っ付く。
【００７３】
図１のように凹凸層１６が屈折率調整層１５に接する構造は、直接凹凸形成構造と定義される。図４のように凹凸層１６と屈折率調整層１５との間に第１電極１３が存在する構造は、間接凹凸形成構造と定義される。このように、屈折率調整層１５に接して凹凸界面が形成されることで、配光の制御が可能となる。直接凹凸形成構造は、凹凸面の形成が、間接凹凸形成構造よりも容易になりやすいという利点がある。ただし、直接凹凸形成構造では、凹凸層１６は、第１電極１３と第２電極１４との間で電気が流れるように構成されることが求められる。一方、間接凹凸形成構造は、直接凹凸形成構造よりも、第１電極１３と第２電極１４との間の電気の流れを確保しやすいという利点がある。また、間接凹凸形成構造は、第１電極１３を第１基板１１から離すため、これらの層の屈折率差の影響を受けにくい。ただし、間接凹凸形成構造では、第１電極１３を凹凸層１６に追随した形状で形成することが求められる。
【００７４】
図５は、光学デバイス１の第２実施形態を示している。図１と同じ構成については同じ符号を付して説明を省略する。
【００７５】
第２実施形態では、構造体１７は、凹凸層１６に設けられた複数の柱部３０である。複数の柱部３０は、屈折率調整層１５を貫通し、その先端が第２電極１４に接着している。
【００７６】
本実施形態でも、光学デバイス１は、屈折率調整層１５の屈折率の変化により、透明状態と配光状態とを作り出すことができる。ここで、屈折率調整層１５の厚みを形成する構造体１７（柱部３０）が、第２電極１４に接着していることにより、屈折率調整層１５の厚みが確実に確保され、層の厚みのムラが低減する。そのため、光学デバイス１の全体にわたってより均一に光を配向することができる。そして、均一な配光が可能になると、透明状態と配光状態との光の変化が大きくなる。このように、光学デバイス１は、透明状態と配光状態とを変化させることができるため、光学特性に優れる。
【００７７】
本実施形態では、凹凸層１６の一部である柱部３０が屈折率調整層１５の厚みを形成している。凹凸層１６は、複数の柱部３０を備えている。複数の柱部３０は、屈折率調整層１５を貫通して第２電極１４に接している。柱部３０の先端は、第２電極１４に引っ付いている。柱部３０の先端は、接着材料によって第２電極１４と接着されている。接着材料は、柱部３０と第２電極１４との間で接着部３１を形成している。接着材料は、接着物質を含んでいてもよい。このように、柱部３０によって、簡単に屈折率調整層１５の厚みが形成され、柱部３０が第２電極１４に接着していることによって柱部３０が固定されるため、屈折率調整層１５の厚みが確実に確保され得る。
【００７８】
複数の柱部３０は、凹凸層１６の形成の際に、一部が突出するように成形されることで、形成され得る。柱部３０は、光学デバイス１の厚み方向に沿って直線状に伸びていてもよい。図５では、複数の柱部３０は、凹凸層１６の突出した部分がさらに延長して突出した部分で形成されている。複数の柱部３０は、円柱状、角柱状などであってよい。
【００７９】
図５では、複数の柱部３０を有する凹凸層１６は、第２電極１４に接している。光学デバイス１の形成では、凹凸層１６と第２電極１４とが近づく方向にこれらが相対的に動かされて、屈折率調整層１５が設けられる。そのときに、複数の柱部３０は、複数の柱部３０の長さよりも凹凸層１６と第２電極１４とが近づかないようにすることができる。複数の柱部３０は、第２電極１４を受け止め得る。複数の柱部３０の周囲は屈折率調整層１５が配置され得る。複数の柱部３０は、屈折率調整層１５の内部に配置される。複数の柱部３０は、スペーサとして機能する。複数の柱部３０の先端は、厚み方向で揃っていることが好ましい。柱部３０の数が複数となることで、複数の柱部３０の強度が高まり、屈折率調整層１５の厚みが形成されやすくなる。複数の柱部３０がある場合、屈折率調整層１５内に上述のようなスペーサとなる粒子が含まれなくても、屈折率調整層１５の厚みが形成されやすくなる。そのため、光学デバイス１の作製が容易となり得る。
【００８０】
接着部３１は、適宜の接着材料によって形成される。接着材料は、樹脂であってよい。たとえば、光硬化性樹脂、熱硬化性樹脂、熱可塑性樹脂などにより、接着部３１は形成される。この場合、光又は熱により、接着部３１の接着性が発現される。接着部３１は、光学デバイス１を製造するときに、少なくとも柱部３０の先端と第２電極１４とを接着させるような機能を有すればよく、完成した光学デバイス１においては、接着部３１は接着性がなくなっていてもよい。接着材料は、接着の際に、一度溶融してもよい。
【００８１】
第２電極１４と、構造体１７である柱部３０との接着は、光又は熱により発現されることが好ましい。その場合、光又は熱によって、強い接着性を簡単に得ることができる。このとき、柱部３０の先端に設けられた接着材料は、光又は熱が付与される前には、接着性を有しておらず、他の物質に引っ付かない。そのため、光学デバイス１の製造時に、不適切な部分に接着してしまうことを抑制し、確実に柱部３０と第２電極１４との界面で接着性を発現することができる。
【００８２】
柱部３０が第２電極１４に接着している凹凸層１６は、液体成分を含む光学デバイス１において、特に有用である。液晶は、液体成分を含み得る。もし、第１電極１３と第２電極１４との間の距離が固定されておらず、屈折率調整層１５の厚みが変化可能になってしまうと、光学デバイス１が鉛直に配置されたときに、液体成分が自重で下方に落ちてしまう可能性がある。さらに、第１基板１１及び第２基板１２の一方又は両方が可撓性を有する場合には、基板間の距離の変動が容易になるため、屈折率調整層１５の厚みが変化しやすくなり、液体成分が下方に落ちやすい。しかしながら、上記の光学デバイス１では、柱部３０が第２電極１４に接着されて固定されているため、屈折率調整層１５の厚みが変化しにくく、液体成分が下方に落ちにくくなる。そのため、光学デバイス１の光学特性が向上する。
【００８３】
光学デバイス１は、たとえば、第１電極１３及び凹凸層１６が設けられた第１基板１１と、第２電極１４が設けられた第２基板１２とを対向配置し、これらの間に、流動性を有する屈折率調整層１５の材料の注入することで形成され得る。このとき、凹凸層１６の複数の柱部３０を第２電極１４に接触させておき、光又は熱を付与することで、柱部３０と第２電極１４とを接着することができる。柱部３０は先端に接着材料を有しているため、柱部３０の先端で接着性が発現される。接着性の発現は、屈折率調整層１５の材料の注入前であってもよいし、屈折率調整層１５の材料の注入後であってもよい。
【００８４】
図６は、第２実施形態の光学デバイス１の変形例である。この光学デバイス１では、凹凸層１６は、断面台形状の複数の凸部１６ａを備えている。凸部１６ａの台形は、台形の下底よりも高さが高い尖がった形状をしている。柱部３０は、凸部１６ａそのもので形成されている。柱部３０は、テーパ状になっていてもよい。また、凸部１６ａは、四角錐台や六角錐台などの多角錐台や、円錐台であってもよい。本変形例においても、凹凸層１６が柱部３０を備え、柱部３０の先端が第２電極１４に接着していることによって、屈折率調整層１５の厚みを確実に確保することができる。
【００８５】
図７により、光学デバイス１の作用について説明する。図７は、図７Ａ及び図７Ｂからなる。図７Ａは配光状態を示し、図７Ｂは非配光状態（透明状態）を示している。図７では、光学デバイス１は、窓のように鉛直に配置されている。光学デバイス１では、少なくとも図７Ａに示される配光状態と、図７Ｂに示される非配光状態とが切り替わる。
【００８６】
図７では、光学デバイス１が簡略化されて描画されている。光学デバイス１は、凹凸界面１０を備えている。凹凸界面１０は、上記の屈折率調整層１５と、この屈折率調整層１５に隣接する層との間の界面である。たとえば、凹凸界面１０は、屈折率調整層１５と凹凸層１６との間に配置される。
【００８７】
図７Ｂは、光学デバイス１が透明状態となったときの光の進行を示している。光は矢印で示されている。光は、光学デバイス１の表面に垂直な方向（厚み方向と同じ方向）から傾斜した方向で進行し得る。特に、光学デバイス１が窓である場合、斜めから光が当たる可能性が高い。透明状態の光学デバイス１を通過する光は、そのまま直進する。たとえば、光学デバイス１に屋外からの光（外光）が当たる場合、外光は屋内にそのままの方向で侵入する。
【００８８】
光学デバイス１の透明状態は、屈折率調整層と、この屈折率調整層に凹凸界面１０において接する層との屈折率のマッチングによって発生する。屈折率調整層に凹凸界面１０において接する層は、凹凸界面隣接層と定義される。凹凸界面隣接層は、図１及び図５の例では、凹凸層１６である。凹凸界面隣接層と屈折率調整層との屈折率差が小さくなると、屈折率差による光の進行方向の変化が小さくなっていく。凹凸界面隣接層と屈折率調整層との屈折率差がなくなるか、無視できる程度になると、屈折率差による光の進行の変化はほとんど起こらなくなり、また、凹凸界面１０での光の進行方向の変化もほとんど起こらなくなる。このため、光は進行方向を維持して凹凸界面１０を通過する。
【００８９】
光学デバイス１は、電圧の印加により、透明状態となることが好ましい一態様である。電圧の印加により、屈折率調整層内の物質の配向が整えられて、凹凸界面隣接層と屈折率調整層との屈折率差が少なくなることで、透明性が発揮され得る。光学デバイス１は、電圧がかからないときに、配光状態となることが好ましい一態様である。また、電圧を変化させたときの光学的状態が維持されてもよい。光学的状態が維持される性質はヒステリシスと呼ばれる。この性質は記憶性（メモリ性）といってもよい。
【００９０】
図７Ａは、光学デバイス１が配光状態となったときの光の進行を示している。光は矢印で示されている。配光状態では、光学デバイス１に入った光は、光学デバイス１内において進行方向が変化する。光の進行方向の変化は、凹凸界面１０で生じ得る。光学デバイス１により、光の進行方向は変化されて目的とする方向になり得る。そのため、光学デバイス１での配光が可能となる。図７Ａにおいては、地表に傾斜しながら上から下に進んでいた光が、光学デバイス１を通過して、地表に傾斜しながら下から上になっている様子が描画されている。このように光が折れ曲がると、光が遠方まで届きやすくなるため、光学特性がさらに優れた光学デバイス１を得ることができる。
【００９１】
光学デバイス１の配光状態は、屈折率調整層と凹凸界面隣接層との屈折率のミスマッチングによって発生する。凹凸界面隣接層と屈折率調整層との屈折率差が大きくなると、屈折率差により光の進行方向の変化が生じやすくなり、さらに凹凸界面１０での光の進行方向の変化も追加されて、光が曲げられる方向に進行方向が変化し得る。そして、凹凸界面隣接層と屈折率調整層との屈折率差が制御されることで、目的とする方向に光を進行させることができる。図７Ａでは、光の進行方向は、一方向に曲げられる様子が模式的に描画されているが、光は、分散して進行してもよい。配光は、光の成分のうち、目的とする方向への光量が増加するものであってよい。特定の方向への光量が増加すると、光学特性が向上する。
【００９２】
ところで、光学デバイス１では、屈折率調整層において光が散乱されてもよい。このときの散乱性は、配光性を維持しながら光が散乱され得る。散乱性が付与されると、光の眩しさを低減することができる。
【００９３】
図７で示すように、光学デバイス１は、建物の壁などに取り付けることができる。建物の外部は屋外であり、建物の内部は屋内である。光学デバイス１は窓として機能することができる。
【００９４】
ここで、光学デバイスを鉛直に配置した場合、一対の電極が固定されていないと、液晶を含む屈折率調整層は、液晶成分が自重で下方に下がる可能性がある。具体的には、たとえば光学デバイスの厚み方向が地表面と平行になるように光学デバイスが配置されたときに、液晶が下に落ちやすくなり、光学デバイス内で上方の液晶量と下方の液晶量とが異なるおそれがある。一対の電極が接着されていないと、屈折率調整層の厚みが増加することが可能だからである。しかしながら、上記のように、光学デバイス１では、構造体１７によって、屈折率調整層１５の厚みが形成され、第１電極１３と第２電極１４とが固定されているため、液晶が保持されて、下方に下がりにくくなる（図１等参照）。そのため、上述した構造体１７（スペーサ２０又は柱部３０）は、液晶を保持する機能を発揮し、光学デバイス１の特性を向上することができる。
【００９５】
図７Ｂに示すように、光学デバイス１が透明性を有する状態では、外光が光学デバイス１を通して屋内に入射する。外光は、通常、太陽の光である。光学デバイス１は、いわばガラス窓と同じような光学的状態である。このとき、屋内は、光が入ることにより明るくなるが、屋内の奥行が広い場合などには、屋内全体が明るくはなりにくい。そのため、ガラス窓を有する建物では、昼においても、照明器具が点灯されて、屋内が明るくされることがよく行われている。
【００９６】
図７Ａでは、光学デバイス１は配光性を有する状態となっている。この場合、光学デバイス１が光の進行方向を変化させ、配光することにより、屋内の奥に届きやすい方向の光を発生あるいは増加させることができる。図７Ａでは、光は天井に向かう方向に変化されている。斜め下方に進む光が、光学デバイス１を通過して、斜め上方に進む光になっている。ただし、光の配光は完全ではなく部分的に生じ得るものなので、天井に向かう方向に曲げられた光と、直進する光とが存在してよい。このとき、光の主成分は配光されて曲げられた光であることが好ましい。そして、図７Ａのように光が配光されると、屋内の内部の方に光が届くため、屋内が奥（光学デバイス１から遠い所）まで明るくなる。そのため、照明器具をオフにしたり、照明器具での電気量を低下させたりすることができ、省エネルギー化を図ることができる。なお、光学デバイス１が光散乱性を有すると、光が散乱されるため、光の眩しさを低減することができる。
【００９７】
光学デバイス１は、さらなる変形例を含み得る。光学デバイスは、さらに一対のガラスパネルを備え、一対のガラスパネルの間に上述の光学調整体が組み込まれた構造を有していてもよい。この場合、光学デバイスは、ガラスパネルユニット（いわゆる複層ガラス）として構成される。光学調整体は一対のガラスパネルの間に設けられた密閉空間に配置される。密閉空間は一対のガラスパネルの外縁がシールされて接着されることで形成され得る。密閉空間は、真空であってもよいし、不活性ガスなどの気体が充填されていてもよい。このように、ガラスパネルユニットで光学デバイスを構成すると、断熱性を高めることができる。そのため、建材（窓を含む）として有効な光学デバイスを得ることができる。また、ガラスパネルユニットは、光学調整体を保護することができ、機械強度を向上させることができる。そのため、破壊が起こりにくい光学デバイスを得ることができる。なお、光学デバイス１が一対のガラスパネルに組み込まれる場合、ガラスパネルの一部で光学調整体の基板が構成されてもよい。
【符号の説明】
【００９８】
１      光学デバイス
１１    第１基板
１２    第２基板
１３    第１電極
１４    第２電極
１５    屈折率調整層
１６    凹凸層
１７    構造体
２０    スペーサ
３０    柱部
【図１】
2018119995.tif 000003
【図２】
2018119995.tif 000004
【図３】
2018119995.tif 000005
【図４】
2018119995.tif 000006
【図５】
2018119995.tif 000007
【図６】
2018119995.tif 000008
【図７】
2018119995.tif 000009